(57)【要約】サポートクッションのために調整可能なベースと共に使用するリテーナーバーアセンブリが提供される。リテーナーバーアセンブリは、水平ロッドと、水平ロッドに接続され、それぞれの脚部から水平ロッドに実質的に平行な方向に延びる端部を備えた２つの脚部とを有するリテーナーバーを含む。リテーナーバーアセンブリは、更に、それぞれのブラケットが、２つの脚部の端部を受けるために少なくとも１つのチャネルを規定する１組のブラケットを含む。それぞれのチャネルは、垂直セグメントと傾斜したセグメントを有し、それぞれのチャネルは、水平ロッドが上方に向かって移動できそれぞれのブラケットから離れるように回転できるように形成される。リテーナーバーアセンブリを含む調整可能なサポートクッションまたはベッドアセンブリもまた提供される。
2016527050.tif 000002
【特許請求の範囲】
【請求項１】
サポートクッションのために調整可能なベースと共に使用するリテーナーバーアセンブリであって、
調整可能なベースの上にサポートクッションを固定するリテーナーバーであって、水平ロッドと水平ロッドに接続された２つの脚部とを有し、２つの脚部のそれぞれは、水平ロッドに実質的に平行な方向に、そこから延びた端部を有する、リテーナーバーと、
一組のブラケットであって、それぞれのブラケットは、２つの脚部のそれぞれの端部を受けるための少なくとも１つのチャネルを規定し、それぞれのチャネルは垂直セグメントと傾斜したセグメントとを有し、それぞれのチャネルは、水平ロッドが上方に向かって移動できそれぞれのブラケットから離れるように回転できるように形成されたブラケットと、を含むリテーナーバーアセンブリ。
【請求項２】
２つの脚部のそれぞれは、更に、直立部分と下方の湾曲部分とを含み、下方の湾曲部分は、水平ロッドがそれぞれのブラケットから離れるように回転した場合に、それぞれのブラケットの丸い面の上を滑る請求項１に記載のリテーナーバーアセンブリ。
【請求項３】
それぞれのブラケットは、第１チャネルと第２チャネルとを規定し、第１チャネルと第２チャネルとは、それぞれのブラケットの対向する側の上に配置された請求項１に記載のリテーナーバーアセンブリ。
【請求項４】
更に、それぞれのブラケットの開口上部を覆うためのキャップを含む請求項１に記載のリテーナーバーアセンブリ。
【請求項５】
キャップは、所定の長さを有し、キャップの上面に沿って長手方向に延びる少なくとも１つのスロットを規定し、水平ロッドがそれぞれのブラケットから離れるように回転した場合に、特定の脚部がスロットの長さに沿って移動する請求項４に記載のリテーナーバーアセンブリ。
【請求項６】
キャップが、第１スロットおよび第２スロットを規定し、それらは実質的に互いに平行である請求項５に記載のリテーナーバーアセンブリ。
【請求項７】
リテーナーバーの２つの脚部の１つは、１つのキャップの第１スロットの中に配置され、リテーナーバーの２つの脚部の２番目は、第２キャップの第２スロットの中に配置される請求項６に記載のリテーナーバーアセンブリ。
【請求項８】
キャップは、キャップをそれぞれのブラケットの対応するリムに固定するためのリップを含む請求項４に記載のリテーナーバーアセンブリ。
【請求項９】
キャップは、キャップから下方に延びるフィンを含み、それぞれのブラケットの開口上部を覆うためにキャップを用いた場合に、フィンはそれぞれのブラケットの中に延びて、それぞれのブラケットの特定のチャネルの中に、特定の脚部の端部を固定することを特徴とする請求項４に記載のリテーナーバーアセンブリ。
【請求項１０】
それぞれのブラケットが、第１チャネルおよび第２チャネルを規定し、第１チャネルと第２チャネルは、それぞれのブラケットの対向する側の上に配置され、
キャップは、更に、キャップから下方に延びる第１フィンと第２フィンを含み、それぞれのブラケットの開口上部を覆うためにキャップを用いた場合に、第１フィンは第１スロットに隣り合うそれぞれのブラケットの中に延び、第２フィンは第２スロットに隣り合うそれぞれのブラケットの中に延び、第１チャネルまたは第２チャネルのいずれかの中に特定の脚部の端部を固定する請求項６に記載のリテーナーバーアセンブリ。
【請求項１１】
調整可能なサポートクッションアセンブリであって、
上面を有する調整可能なベースと、
調整可能なベースの上面の下端に配置されたリテーナーバーアセンブリであって、
水平ロッドと、水平ロッドに接続された２つの脚部を有するリテーナーバーであって、２つの脚部のそれぞれは、水平ロッドに実質的に平行な方向にそこから延びる端部を有するリテーナーバーと、
一組のブラケットであって、それぞれのブラケットは、２つの脚部のそれぞれの端部を受けるための少なくとも１つのチャネルを規定し、それぞれのチャネルは垂直セグメントと傾斜したセグメントとを有し、それぞれのチャネルは、水平ロッドが上方に向かって移動できそれぞれのブラケットから離れるように回転できるように形成されたブラケットと、を含むリテーナーバーアセンブリと、を含む調整可能なサポートクッションアセンブリ。
【請求項１２】
調整可能なベースは、調整可能なベースの対向する側に沿って長手方向に延びる２つのサポート部材を含み、
１つのブラケットは、２つのサポート部材の１つに取り付けられて、２番目のブラケットは、他のサポート部材に取り付けられる請求項１１に記載の調整可能なサポートクッションアセンブリ。
【請求項１３】
更に、それぞれのブラケットの開口上部を覆うためのキャップを含む請求項１１に記載の調整可能なサポートクッションアセンブリ。
【請求項１４】
キャップは、長さを有し、キャップの上面に沿って長手方向に延びる少なくとも１つのスロットを規定し、水平ロッドがそれぞれのブラケットから離れて回転した場合に、特定の脚部はスロットの長さに沿って動くことを特徴とする請求項１３に記載の調整可能なサポートクッションアセンブリ。
【請求項１５】
１またはそれ以上のスロットのそれぞれは、調整可能なベースの足板の上端と隣り合う開口端部を含む請求項１４に記載の調整可能なサポートクッションアセンブリ。
【請求項１６】
調整可能なベッドアセンブリであって、
マットレスと、
上面を有する調整可能なベースと、
調整可能なベースの上面の下端に配置されたリテーナーバーアセンブリであって、
水平ロッドと、水平ロッドに接続された２つの脚部を有するリテーナーバーであって、２つの脚部のそれぞれは、水平ロッドに実質的に平行な方向にそこから延びる端部を有するリテーナーバーと、
一組のブラケットであって、それぞれのブラケットは、２つの脚部のそれぞれの端部を受けるための少なくとも１つのチャネルを規定し、それぞれのチャネルは垂直セグメントと傾斜したセグメントとを有し、それぞれのチャネルは、水平ロッドが上方に向かって移動できそれぞれのブラケットから離れるように回転できるように形成されたブラケットと、を含むリテーナーバーアセンブリと、を含む調整可能なベッドアセンブリ。
【請求項１７】
マットレスは、フレキシブルフォームからなる請求項１６に記載の調整可能なベッドアセンブリ。
【請求項１８】
フレキシブルフォームは、粘弾性フォームである請求項１７に記載の調整可能なベッドアセンブリ。
【請求項１９】
更に、マットレスの上に配置された快適層を含む請求項１６に記載の調整可能なベッドアセンブリ。
【請求項２０】
快適層は、マットレスより少ない密度を有する請求項１９に記載の調整可能なベッドアセンブリ。
【請求項２１】
２つの脚部のそれぞれは高さを有し、リテーナーバーが低い位置にある場合に、リテーナーバーの水平ロッドがマットレスに寄りかかる請求項１６に記載の調整可能なベッドアセンブリ。
【発明の詳細な説明】
【技術分野】
【０００１】
本発明は、サポートクッションのための調整可能なベースと共に使用されるリテーナーバーアセンブリに関する。特に、本発明は、リテーナーバーが上方に移動し、調整可能なベースから離れて回転し、調整可能なベースの上に寄りかかるサポートクッションが容易に操作可能になるように形成されたチャネルを有するブラケットを含むリテーナーバーアセンブリに関する。
【背景技術】
【０００２】
調整可能なベースを使用するベッドアセンブリが、従来のベッドアセンブリの代わりとして評判になってきている。固いボックススプリングまたは他の同様のベースを使用する従来のベッドアセンブリと異なり、調整可能なベースを使用するベッドアセンブリは、所望の人間工学の位置にベースを関節接合することにより容易に調整できる。換言すれば、調整可能なベースを関節接合することにより、使用者は、調整可能なベースの上で横たわるマットレスの位置を容易に変えることができ、その結果、マットレスの位置を、使用者の特別な好みに素早く合わすことができ、少なくとも部分的に、彼または彼女の睡眠の快適さのレベルを個性に合わすことができる。
【０００３】
そのようなベッドアセンブリの素早い調整特性にもかかわらず、調整可能なベースの使用は、ベースの上に横たわるマットレスを操作することがしばしば困難になる。特に、調整可能なベースを用いるベッドアセンブリでは、調整可能なベースはしばしばベースの足に固く固定されたリテーナーバーを含み、これはベースの上の位置にマットレスを固く保持し、マットレスに関節がある場合に滑り落ちることを防止する。しかしながら、そのような固いリテーナーバーを使用する場合、リテーナーバーはまた、マットレスを回転し、またはマットレスを覆うカバーを交換するのに必要となる、マットレスの容易な操作を妨げるように働く。
【発明の概要】
【０００４】
本発明は、サポートクッションのための調整可能なベースと共に使用するリテーナーバーアセンブリに関する。特に、本発明は、リテーナーバーを上方に移動させ、調整可能なベースから離れるように回転させ、調整可能なベースの上に横たわるサポートクッションが容易に操作できるように形成されたチャネルを有するブラケットを含むリテーナーバーアセンブリに関する。このように、本発明のリテーナーバーアセンブリは、マットレスを回転するため、またはマットレスを覆うシートを交換するために、固いリテーナーバーの周囲でマットレスを操作する場合にしばしば出会う困難性なしに、使用者が、調整可能なベースを有するベッドアセンブリの利益を得ることを可能にする。
【０００５】
本発明の１つの例示の具体例では、リテーナーバーアセンブリは、調整可能なベースとマットレスの形状のサポートクッションを含むベッドアセンブリの一部として提供される。リテーナーバーアセンブリは、調整可能なベースの上部表面の下端に配置される。リテーナーバーアセンブリは、リテーナーバーが低い位置にある場合に、調整可能なベースの上でマットレスを固定できるように形成されたリテーナーバーを含む。この点で、リテーナーバーは、２つの脚部と共に水平なロッドを含み、脚部はそれぞれ、直立状態の部分、湾曲した下方部分、および水平ロッドに実質的に平行は方向に延びた端部部分を含む。２つの脚部は、水平なロッドに接続され、リテーナーバーが、ベースが関節を有する場合にマットレスが調整可能なベースに固定されたままであることを確実にする低い位置にある場合に、マットレスに対して水平ロッドが静止することを可能にする高さを有する。
【０００６】
調整可能なベースにリテーナーバーを固定するために、リテーナーバーアセンブリは、更に、調整可能なベースの対向する側に沿って長手方向に延びる２つのサポート部材に取り付けられた１組のブラケットを含み、１つのブラケットは２つのサポート部材の１つに取り付けられ、２番目のブラケットは他のサポート部材に取り付けられる。それぞれのブラケットは、一般的に、第１チャネルおよび第２チャネルを規定し、これらはそれぞれのブラケットの対向する側に配置され、２つの脚部のそれぞれの端部を受けるように形成される。しかしながら、調整可能なベースで従来使用される固く取り付けられたリテーナーバーアセンブリとは異なり、本発明のリテーナーバーアセンブリのブラケットのそれぞれのチャネルは、垂直セグメントと傾斜したセグメントとを含み、それぞれのチャネルは、水平なロッドが上方に動き（例えば引っ張られ）、続いてブラケットから離れるように回転できるように形成される。
【０００７】
それぞれのブラケットの中でリテーナーバーを固定し、ブラケット中のチャネルから、同様にブラケット自身から、リテーナーバーの２つの脚部の端部が外れるのを防止するために、リテーナーバーアセンブリは、更に、それぞれのブラケットの開いた上部を覆うためのキャップを含む。それぞれのキャップは、第１スロットと第２スロットを規定し、リテーナーバーの２つの脚部の１つは、一般には１つのキャップの第１スロット中に配置され、
リテーナーバーの２つの脚部の２番目は、一般には２番目のキャップの第２スロット中に配置される。キャップのスロットは、実質的に互いに平行であり、キャップの上面に沿って長手方向に延びる長さを有する。これに関して、リテーナーバーの水平ロッドが上方に動き、それぞれのブラケットから離れるように回転する場合、スロットは、水平なロッドがそれぞれのブラケットから離れて回転する場合に、スロットの長さに沿って脚部が動けるように形成される。いくつかの具体例では、更に、それぞれのブラケットから離れるようにリテーナーバーの水平ロッドが更に回転しやすくなるように、スロットはまた、調整可能なベースの足板の上端部と隣り合った開口端部を含み、水平ロッドがそれぞれのブラケットから離れるように回転した場合に、２つの脚部は足板の上端部に向かって回転する。
【０００８】
更に、それぞれのブラケット中のリテーナーバー、特にリテーナーバーの脚部の端部、を固定するために、それぞれのキャップは、キャップからそれぞれのブラケット中に下方に延び、ブラケットの特別なチャネル中に特別な脚部の端部を固定するように働く少なくとも１つのフィンを含んでも良い。幾つかの具体例では、キャップは、キャップから下方に延びる第１フィンおよび第２フィンを含み、それぞれのブラケットの開口上部を覆うためにキャップを使用した場合、第１フィンは、第１スロットと隣り合うブラケット中に延び、第２フィンは、第１チャネルまたは第２チャネルのいずれかで、特定の脚部の端部を固定するための第２スロットと隣り合うブラケット中に延びる。
【０００９】
更に本発明のリテーナーバーアセンブリのキャップについて、それぞれのキャップは、一般に、それぞれのブラケットの対応するリムに固定するためのリップを含んでも良い。幾つかの具体例では、キャップは、更に、キャップを通ってファスナーを挿入するための開口部を規定する。そのような具体例では、一旦ファスナーがキャップ中の開口部に挿入されれば、ファスナーはそれぞれのブランケットの対応する孔の中に配置され、これによりキャップをそれぞれのブラケットに固定し、水平バーが上方に引っ張られ、ブラケットから離れるように回転した場合に、キャップとリテーナーバーが調整可能なベースから引っ張られることを防止する。
【００１０】
更に、本発明の特徴や利益は、この文献中の開示、図面、および非限定的な例の研究後に、当業者に明白になるであろう。
【図面の簡単な説明】
【００１１】
【図１】ベッドアセンブリから除去されたマットレスを備えた例示の調整可能なベッドアセンブリの斜視図であり、低い位置にある本発明により形成された例示のリテーナーバーアセンブリを示す。
【図２】リテーナーバーアセンブリのブラケットから離れるように回転するリテーナーバーを備えた、図１に例示の調整可能なベッドアセンブリの他の斜視図である。
【図３】図１〜２の例示のリテーナーバーアセンブリの分解斜視図である。
【図４】ブラケットの内部を示すために、マットレス、調整可能なベースの一部、およびブラケットの１つの一部が除去された、図１の例示のベッドアセンブリの部分断面図である。
【図５】リテーナーバーアセンブリの１つのブラケットの中で低い位置のリテーナーバーを示すために、マットレス、および調整可能なベースの一部が除去された、図１の例示のベッドアセンブリの部分斜視図である。
【図６】リテーナーバーアセンブリの１つブラケットの中で高い位置のリテーナーバーを示すために、マットレス、および調整可能なベースの一部が除去された、図１の例示のベッドアセンブリの部分斜視図である。
【発明を実施するための形態】
【００１２】
本発明は、サポートクッションのために調整可能なベースと共に使用するリテーナーバーアセンブリに関する。特に、本発明は、リテーナーバーを上方に移動させ、調整可能なベースから離れるように回転させ、調整可能なベースの上に寄りかかるサポートクッションが容易に操作可能になるように形成されたチャネルを有するブラケットを含むリテーナーバーアセンブリに関する。このように、本発明のリテーナーバーアセンブリは、シートを交換するために、またはそうでなければマットレスの一部を動かすために、固いリテーナーバーの周囲でマットレスを操作する場合にしばしば出会う困難性なしに、使用者が、調整可能なベースを有するベッドアセンブリの利益を得ることを可能にする。
【００１３】
最初に図１〜２を参照すると、本発明の例示の具体例では、リテーナーバーアセンブリ１７は、ベッドアセンブリ１０の一部として提供され、更に調整可能なベース１２およびマットレス１４の形状のサポートクッションを含む。マットレス１４は、調整可能なベース１２の上面１３の上に乗り、ボディサポート部分１５と任意的な快適層１６を含む。マットレス１４のボディサポート部分１５は、一般に、使用者のボディ、またはその一部からの圧力を分散させるのに適した密度を有するフレキシブルフォーム（flexible foam）からなる。そのようなフレキシブルフォームは、これに限定されるものではないが、ラテックスフォーム、網目状のまたは網目状でない粘弾性フォーム（時には、メモリーフォームまたは非弾性フォームとよばれる）、網目状のまたは網目状でない非粘弾性フォーム、高弾性ポリウレタンフォーム、発泡ポリマーフォーム（例えば、発泡エチレンビニルアセテート、ポリプロピレン、またはポリエチレン）等である。図１〜２に示される例示の具体例では、ボディサポート部分１５は、低弾性であるが十分な固さと密度を有する粘弾性フォームからなり、圧力は、マットレス１４のボディサポート部分１５を横切って均等に分散される。
【００１４】
ボディサポート部分１５で使用される粘弾性フォームの固さについて、ボディサポート部分１５に適した粘弾性フォームは、おおよそ室温（即ち、２１℃から２３℃）で材料の最初の膜厚の少なくとも４０％の圧縮となる圧力をプレートから材料のサンプルに加えることにより測定された場合に、少なくとも１０Ｎで、約８０Ｎより大きくない固さを有し、この４０％の圧縮は、国際標準化機構（ＩＳＯ）２４３９固さ測定標準により確立された設定時間の間、保持される。幾つかの具体例では、ボディサポート部分１５を含む粘弾性フォームは、約１０Ｎ、約２０Ｎ、約３０Ｎ、約４０Ｎ、約５０Ｎ、約６０Ｎ、約７０Ｎ、または約８０Ｎの固さを有し、所望の程度の快適さとボディの快適さの質を提供する。
【００１５】
ボディサポート部分１５で使用される粘弾性フォームの密度に関して、ボディサポート部分１５に適した粘弾性フォームは、所望の程度の快適さとボディの快適さの質を提供するとともに、材料の耐久性の増加した程度を提供するのを助ける密度を有する。幾つかの具体例では、マットレス１４のボディサポート部分１５を含む粘弾性フォームの密度は、約３０ｋｇ／ｍ３より少なくなく、約１５０ｋｇ／ｍ３より大きくない密度を有する。幾つかの具体例では、マットレス１４のボディサポート部分１５を含む粘弾性フォームの密度は、約３０ｋｇ／ｍ３、約４０ｋｇ／ｍ３、約５０ｋｇ／ｍ３、約６０ｋｇ／ｍ３、約７０ｋｇ／ｍ３、約８０ｋｇ／ｍ３、約９０ｋｇ／ｍ３、約１００ｋｇ／ｍ３、約１１０ｋｇ／ｍ３、１２０ｋｇ／ｍ３、約１３０ｋｇ／ｍ３、約１４０ｋｇ／ｍ３、または約１５０ｋｇ／ｍ３である。もちろん、特定の密度を有する粘弾性フォームの選択は、その固さ、フォームが圧力に応答する方法、およびフォームの全体の感触を含む他の特徴に影響するが、所望の密度と固さを有する粘弾性フォームは、特定の応用または所望のマットレスアセンブリのために、容易に選択できる。
【００１６】
図１〜２を参照すると、この例示の具体例では、マットレス１４は、更にボディサポート部分１５の上に配置され、マットレス１４の上に乗る使用者のボディまたはその一部に快適のレベルを与える、上部快適層１６を含む。快適層１６は、また粘弾性フォームからなることが好ましい。しかしながら、快適層１６は、一般には密度、固さ、または双方を有し、これらはマットレス１４のボディサポート部分１５のそれらより低く、快適層１６は使用者のボディまたはその一部がその上に乗るための、より柔らかな表面を提供する。例えば、幾つかの具体例では、マットレス１４は、約８０ｋｇ／ｍ３の密度と、約１３Ｎの固さを有する粘弾性フォームからなるボディサポート部分１５を含み、一方で、快適層１６は、約３５ｋｇ／ｍ３の密度と、約１０Ｎの固さを有する粘弾性フォームからなる。
【００１７】
使用される材料（例えばフォーム）の特別な固さおよび密度にかかわらず、マットレス１４のボディサポート部分１５と快適層１６は、好適には互いに固定されて、統合されたマットレス１４を形成し、ボディサポート部分１５と快適層１６が、使用中に互いに対する不必要な動きをするのを防止する。にもかかわらず、そのような統合されたマットレス１４の作製では、図２に示すように、マットレス１４が調整可能なベース１２の上に配置され、ベース１２が関節を有する場合、マットレス１４、またはマットレス１４の上に横たわる使用者、の重さは、しばしばマットレス１４を、調整可能なベース１２の上面を横切って下方に滑らす。調整可能なベース１２に対するそのようなマットレス１４の動きを防止するために、リテーナーバーアセンブリ１７は、調整可能なベース１２の上面１３の下端１１に配置され、図１に示すように、リテーナーバー２０が下げられた位置にある場合に、調整可能なベース１２の上にマットレス１４を固定するように形成されたリテーナーバー２０を含む。しかしながら、固く取り付けられたリテーナーバーアセンブリが調整可能なベースと共に従来使用されたのとは異なり、リテーナーバー２０は、上方に引き上げられて、次に調整可能なベース１２の上に乗るマットレス１４から離れるように回転し、これにより、使用者が、例えばマットレス１４を回転しまたはマットレス１４を覆うシートを交換するために、マットレス１４を容易に操作し、またはそうでなければ容易に動かせるように、形成される。
【００１８】
図１〜３を参照すると、そのような方法で動かされるリテーナーバーアセンブリ１７を提供するために、リテーナーバー２０は、２つの脚部２２、２６と共に水平なロッド２１を含む。脚部２２、２６のそれぞれは、直立部分２３、２７、湾曲した下方部分２４、２８、および水平ロッド２１に実質的に平行な方向に延びる端部２５、２９を含む。２つの脚部２２、２６は、水平ロッド２１に接続され、または一体化され、以下に記載するように、リテーナーバー２０が下げられた位置にある場合に、マットレス１４のボディサポート部分１５に対して水平ロッド２１が寄りかかれるような高さを有する。
【００１９】
図２〜３および図５〜６を参照すると、調整可能なベース１２の上面１３の下端にリテーナーバー２０を固定するために、リテーナーバー２０は、更に、１組のブラケット３０ａ、３０ｂを含む。ブラケット３０ａ、３０ｂは、リテーナーバー２０の移動、またはリテーナーバー２０に与えられる力（例えば、調整可能なベース１２が関節を有する場合、リテーナーバー２０に向かってマットレス１４が押された結果のような力）に耐えるために、一般には十分に固い材料またはプラスチック材料から形成され、調整可能なベース１２の対向する側に沿って長手方向に延びる２つのサポート部材７０ａ、７０ｂに取り付けられる。１つのブラケット３０ａは、１つのサポート部材７０ａに取り付けられ、２番目のブラケット３０ｂは調整可能なベース１２の反対側の上の他のサポート部材７０ｂに取り付けられる。しかしながら、ブラケット３０ａ、３０ｂのそれぞれは、互いに同一で、ブラケット３０ａ、３０ｂは、サポート部材７０ａ、７０ｂのそれぞれの上で、交換可能に使用できる。更に、それぞれのブラケット３０ａ、３０ｂは、それぞれのブラケット３０ａ、３０ｂの対向する側に配置される第１チャネル３１ａ、３１ｂと、第２チャネル３２ａ、３２ｂを規定する。そのようなチャネル３１ａ、３１ｂ、３２ａ、３２ｂは、２つの脚部２２、２６のそれぞれの端部２５、２９を受け入れるように形成される。これに関して、それぞれのチャネル３１ａ、３１ｂ、３２ａ、３２ｂは、垂直セグメント３３ａ、３３ｂ、３５ａ、３５ｂと、傾斜したセグメント３４ａ、３４ｂ、３６ａ、３６ｂを含み、それらの重要性については以下で検討する。
【００２０】
垂直セグメント３３ａ、３３ｂ、３５ａ、３５ｂと、傾斜したセグメント３４ａ、３４ｂ、３６ａ、３６ｂの双方を備えたチャネル３１ａ、３１ｂ、３２ａ、３２ｂが提供されることにより、それぞれのチャネル３１ａ、３１ｂ、３２ａ、３２ｂは、２つの脚部２２、２６の端部２５、２９が、垂直セグメント３３ａ、３３ｂ、３５ａ、３５ｂの長さに沿って上方に、次に傾斜したセグメント３４ａ、３４ｂ、３６ａ、３６ｂの長さに沿って移動し、リテーナーバー２０が回転することを可能にするように形成される。特に、ベッドアセンブリ１０の使用者がリテーナーバー２０の水平ロッド２１を掴み、上方に引っ張った場合に、２つの脚部２２、２６の端部２５、２９が、そのような方法で移動するのを許容するチャネル３１ａ、３１ｂ、３２ａ、３２ｂを提供することにより、図５に示すように、２つの脚部２２、２６の端部２５、２９が、垂直セグメント３３ａ、３３ｂ、３５ａ、３５ｂの長さに沿って上方に移動する。次に、水平ロッド２１の上で使用者が後退させると、２つの脚部２２、２６の端部２５、２９は、傾斜したセグメント３４ａ、３４ｂ、３６ａ、３６ｂに沿って移動し、これにより水平ロッド２１をそれぞれのブラケット３０ａ、３０ｂから離れるように回転させ、これにより水平ロッド２１を回転させて、図２および６に示すように、脚部２２、２６の直立部分２３、２７を、マットレス１４から遠ざける。
【００２１】
図１〜３を参照すると、それぞれのブラケット３０ａ、３０ｂの中でリテーナーバー２０を固定し、ブラケット３０ａ、３０ｂ中のチャネル３１ａ、３１ｂ、３２ａ、３２ｂから、同様にブラケット３０ａ、３０ｂそのものから、リテーナーバー２０の２つの脚部２２、２６の端部２５、２９が離れるのを防止するために、リテーナーバーアセンブリ１７は、更に、それぞれのブラケット３０ａ、３０ｂの開いた上部３７ａ、３７ｂを覆うキャップ４０ａ、４０ｂを含む。ブラケット３０ａ、３０ｂと同様に、キャップ４０ａ、４０ｂは、リテーナーバー２０の移動に耐えるような十分に硬い金属またはプラスチック材料からなることが好ましい。たぶん図３が最も良く示すように、キャップ４０ａ、４０ｂのそれぞれは、第１スロット４２ａ、４２ｂ、および第２スロット４３ａ、４３ｂを規定し、これらは実質的に互いに平行で、キャップ４０ａ、４０ｂの上面に沿って長手方向に延びる長さを有する。これに関して、またブラケット３０ａ、３０ｂと同様に、それぞれのキャップ４０ａ、４０ｂは互いに同一で、キャップ４０ａ、４０ｂは、ブラケット３０ａ、３０ｂのいずれかと共に交換可能で使用でき、または調整可能なベース１２のいずれかの側の上でも使用できる。
【００２２】
図１〜３に示される例示の具体例では、ブラケット３０ａ、３０ｂの中にリテーナーバー２０を固定するために、脚部２２の端部２５は、ブラケット３０ａ、３０ｂのチャネル中に配置され。他の脚部２６の端部２９は、２番目のブラケット３０ｂのチャネル３１ｂの中に配置される。そのように、キャップ４０ａ、４０ｂはブラケットの上に配置され、脚部２２は、キャップ４０ａの第１スロット４２ａの中に配置され、他の脚部２６は、他のキャップ４０ｂの第２スロット４３ｂの中に配置される。このように、キャップ４０ａ、４０ｂ、および特にスロット４２ａ、４３ｂは、リテーナーバー２０の脚部２２、２６が締め付けられ、またはそうでなければ一緒に押されるのを防止し、そして、リテーナーバー２０が移動した場合に端部２５、２９がチャネル３１ａ、３２ｂから外れるのを防止する。
【００２３】
図３〜４を参照して、更にブラケット３０ａ、３０ｂ中にリテーナーバー２０を固定するために、特に、リテーナーバー２０の脚部２２、２６の端部２５、２９を固定するために、更に、キャップ４０ａ、４０ｂからそれぞれのブラケット３０ａ、３０ｂの中に下方に延びて、脚部２２、２６の端部２５、２９を、それぞれのブラケット３０ａ、３０ｂのチャネル３１ａ、３２ｂ中に固定する少なくとも１つのフィンを含む。図３〜４に示される例示の具体例では、キャップ４０ａ、４０ｂは、それぞれのキャップ４０ａ、４０ｂから下方に延びる第１フィン４６ａ、４６ｂおよび第２フィン４７ａ、４７ｂを含み、それぞれのブラケットの開口上部３７ａ、３７ｂを覆うようにキャップ４０ａ、４０ｂを使用した場合に、１つのキャップ４０ａの第１フィン４６ａは、ブラケット３０ａの中に第１スロット４２ａの近傍まで延び、他のキャップ４０ｂの第２フィン４７ｂは、他のブラケット３０ｂの中に第２スロット４２ｂの近傍まで延びる。このように、第１フィン４６ａと第２フィン４７ｂは、それぞれ、１つのブラケット３０ａの第１チャネル３１ａの中、および他のブラケット３０ｂの第２チャネル３２ｂの中に、脚部２２、２６の端部２５、２９を固定する。もちろん、１つの結合したフィンを有するキャップを含み、ブラケット３０ａ、３０ｂのチャネル３１ａ、３１ｂ、３２ａ、３２ｂの中に端部２５、２９を固定できるようなフィン形状を有する他のキャップも、ここに記載された課題の精神および範囲から離れることなく使用できる。
【００２４】
更に本発明の例示のリテーナーバーアセンブリ１７のキャップ４０ａ、４０ｂについて、それぞれのキャップ４０ａ、４０ｂは、また、一般に、それぞれのブラケット３０ａ、３０ｂの対応するリム３８ａ、３８ｂの下に配置できるリップ４４ａ、４４ｂを含み、キャップがそれぞれのブラケット３０ａ、３０ｂから外れるのを防止し、これによりキャップ４０ａ、４０ｂをそれぞれのブラケット３０ａ、３０ｂに固定する。またキャップ４０ａ、４０ｂをブラケット３０ａ、３０ｂに固定するために、キャップ４０ａ、４０ｂは、キャップ４０ａ、４０ｂを通って、図３に示されるねじ５０ａ、５０ｂのようなファスナーを挿入するための開口部４５ａ、４５ｂを追加的に規定しても良い。そのような具体例では、一旦特別なねじ５０ａ、５０ｂが、開口部４５ａ、４５ｂを通ってキャップ４０ａ、４０ｂ中に挿入されれば、特別なねじ５０ａ、５０ｂは、それぞれのブラケット３０ａ、３０ｂ中の対応する孔３９ａ、３９ｂの中に挿入され、これにより更にそれぞれのキャップ４０ａ、４０ｂを固定し、水平ロッド２１が上方に引っ張られ、ブラケット３０ａ、３０ｂから離れるように回転した場合に、キャップ４０ａ、４０ｂおよびリテーナーバー２０が、調整可能なベース１２から引っ張られるのを防止する。
【００２５】
本発明のリテーナーバーアセンブリ１７で使用されるキャップ４０ａ、４０ｂの更なる改良として、図２〜３を参照しながら、キャップ４０ａ、４０ｂのそれぞれのスロット４２ａ、４２ｂ、４３ａ、４３ｂは、更に、調整可能なベース１２の足板１９の上端１８と隣り合う開口端部４８ａ、４８ｂ、４９ａ、４９ｂを含んでも良い。これに関して、水平ロッド２１が上方に引き上げられ、リテーナーバー２０の脚部２２、２６の下方の湾曲部分２４、２８がそれぞれのブラケットの丸い面５１ａ、５１ｂの上を滑る場合、２つの脚部２２、２６はスロット４２ａ、４３ｂの長さに沿って延び、２つの脚部２２、２６は調整可能なベース１２の足板１９の上端１８に向かって回転し、使用者がより完全にリテーナーバー２０をマットレス１４から離れるように回転させて、これによりマットレス１４を容易に操作できるようにする。
【００２６】
この文献を通して、様々な参照について言及された。以下のリストに示す参照を含むそれらの参照の全ては、参照されることによりここに取り込まれる。
【００２７】
本発明の技術またはそれに続く請求項の範囲から離れること無しに、追加の具体例または実施が可能であることを、当業者の一人は認識するであろう。詳細な説明、および特にここに記載された例示の具合例および実施の特定の細部は、主として理解を明確にするために記載され、そこから不必要な限定は理解されず、請求された発明の精神または範囲から離れること無しに、この開示を読んだ場合に、当業者にとって変形は明らかである。
【図１】
2016527050.tif 000003
【図２】
2016527050.tif 000004
【図３】
2016527050.tif 000005
【図４】
2016527050.tif 000006
【図５】
2016527050.tif 000007
【図６】
2016527050.tif 000008
【国際調査報告】
2016527050.tif 000009
2016527050.tif 000010